(57)【要約】  【課題】  撮影時にプリントを行わないことを決定した画像を、プリント時の選択肢から除外することのできる撮像装置およびその制御方法、画像形成装置およびその制御方法を提供する。  【解決手段】  デジタルカメラ等で撮影した画像データを保存する際に、印刷許可若しくは印刷禁止を表す印刷設定を含む属性情報を付加する。【選択図】        図２
2006087021.tif 000002
【特許請求の範囲】
【請求項１】
レンズを介して受光した光学的情報に基づいて画像データを生成し、該生成した画像データとして記録媒体に記録する撮像装置において、
受光した光学的情報に基づいて画像データを生成する画像生成手段と、
前記画像生成手段が生成した画像データに、該画像データに基づく画像形成処理の可否を設定する可否情報設定手段と、
前記画像生成手段が生成した画像データに前記可否情報設定手段が設定した画像形成処理の可否を示す可否情報を付加した画像ファイルを生成し、該生成した画像ファイルを記録媒体に記録する画像記録手段と
を具備することを特徴とする撮像装置。
【請求項２】
前記可否情報設定手段は、操作者の指示に基づいて、画像形成処理の可否を設定することを特徴とする請求項１記載の撮像装置。
【請求項３】
前記可否情報設定手段は、前記画像生成手段が画像データを生成する毎に、該生成した画像データに基づく画像形成処理の可否を設定することを特徴とする請求項２記載の撮像装置。
【請求項４】
レンズを介して受光した光学的情報に基づいて画像データを生成し、該生成した画像データとして記録媒体に記録する撮像装置の制御方法であって、
受光した光学的情報に基づいて画像データを生成し、該生成した画像データに、該画像データに基づく画像形成処理の可否を示す可否情報を付加した画像ファイルを生成し、該生成した画像ファイルを記録媒体に記録することを特徴とする撮像装置の制御方法。
【請求項５】
前記画像形成処理の可否は、前記撮像装置の操作者の指示に基づいて決定されることを特徴とする請求項４記載の撮像装置の制御方法。
【請求項６】
前記画像形成処理の可否は、前記撮像装置が前記画像データを生成する毎に決定されることを特徴とする請求項５記載の撮像装置の制御方法。
【請求項７】
記録媒体に記録された画像ファイルを読み出し、該画像ファイルに含まれる画像データに基づいて用紙上に画像を形成する画像形成装置において、
記録媒体から画像ファイルを読み出す画像取得手段と、
前記画像取得手段が読み出した画像ファイルに含まれる画像データに基づいて用紙上に画像を形成する画像形成手段と、
前記画像取得手段が読み出した画像ファイルから、該画像ファイルに含まれる画像データに基づく画像形成の可否を設定した可否情報を取得する可否情報取得手段と、
前記可否情報取得手段が取得した可否情報が画像形成の不許可に設定されていた場合に、該可否情報に対応する画像データに基づく画像形成を禁止する画像形成禁止手段と
を具備することを特徴とする画像形成装置。
【請求項８】
前記画像ファイル取得手段が読み出した画像ファイルに対応する縮小画像を画面上に表示する表示手段と、
前記表示手段が表示した縮小画像に基づく選択を受け付ける選択受付手段と
をさらに具備し、
前記画像形成手段は、前記選択受付手段が受け付けた縮小画像に対応する画像ファイルに基づいて用紙上に画像を形成し、
前記画像形成禁止手段は、前記可否情報取得手段が取得した可否情報が画像形成の不許可に設定されていた場合は、該可否情報が含まれた画像ファイルに対応する縮小画像の表示を前記表示手段に表示させない
ことを特徴とする請求項７記載の画像形成装置。
【請求項９】
記録媒体に記録された画像ファイルを読み出し、該画像ファイルに含まれる画像データに基づいて用紙上に画像を形成する画像形成装置の制御方法であって、
記録媒体から読み出した画像ファイルから、該画像ファイルに含まれる画像データに基づく画像形成の可否を設定した可否情報を取得し、該取得した可否情報が画像形成の不許可に設定されていた場合に、該可否情報に対応する画像データに基づく画像形成を禁止することを特徴とする画像形成装置の制御方法。
【請求項１０】
前記画像形成装置は、前記画像ファイルに対応する縮小画像を画面上に表示し、該表示した縮小画像のうち選択された縮小画像に対応する画像データに基づいて用紙上に画像を形成し、
前記画像形成の禁止は、前記可否情報が画像形成の不許可に設定されていた場合に、該可否情報が含まれた画像ファイルに対応する縮小画像を前記画面上に表示させないことで行う
ことを特徴とする請求項９記載の画像形成装置の制御方法。
【発明の詳細な説明】
【技術分野】
【０００１】
本発明は、撮像装置およびその制御方法、画像形成装置およびその制御方法に関し、特に、画像形成時に、対象となる画像データを容易に選択することのできる撮像装置およびその制御方法、画像形成装置およびその制御方法に関する。
【背景技術】
【０００２】
近年、撮影した画像を画像データとして記録するデジタルカメラが広く普及してきている。これに伴って、デジタルカメラで撮影した画像データを用紙にプリントするプリンタ等の画像形成装置が、家庭用と業務用を問わず、提供されている。
【０００３】
このような画像形成装置は、一般に、単独若しくはパーソナルコンピュータ等と接続されて利用される。そして、画像形成装置本体若しくはパーソナルコンピュータの画面に、メディアに記録されている画像データの一覧を表示し、この一覧から操作者が所望の画像をプリント対象として選択する操作を行うことで、所望の画像がプリントされる（例えば、特許文献１、特許文献２、特許文献３参照）。
【特許文献１】特開２０００−２９５５６２号公報
【特許文献２】特開２００１−３１２５５２号公報
【特許文献３】特開２００３−７６７７２号公報
【発明の開示】
【発明が解決しようとする課題】
【０００４】
ところで、デジタルカメラで撮影された画像は、必ずしも全てがプリントされるとは限らない。これは、デジタルカメラで撮影した画像の画像データをプリント以外の用途、例えば、ウェブページへの掲載等に利用することがあるためである。また、デジタルカメラの多くは、そのデジタルカメラに付された表示画面で撮影した画像を確認することができるため、撮影したその場で画像を閲覧するものの、プリントは不要であるといった利用方法があることも、プリントを行わない原因のひとつである。
【０００５】
このようなプリントが所望されない画像には、当該画像を撮影した時点で、プリントを行わないことが決まっている場合もある。しかしながら、従来のプリンタを利用してプリントを行う場合には、予めプリントを行わないことが決まっている画像も、プリント対象となる画像を選択する際の選択肢として画面上に表示されることとなる。
【０００６】
予めプリントを行わないことが決まっている画像が、プリント対象となる画像を選択する際の選択肢として画面上に表示された場合、プリンタの操作者にとっては、所望の画像を選択するのに要する時間が長くなり、不便が生じることとなる。特に、最近では、画像データを記録するメディアの記憶容量が増大する傾向にあり、この不便さは、より顕著となる傾向にある。
【０００７】
そこで、本発明は、撮影時にプリントを行わないことを決定した画像を、プリント時の選択肢から除外することのできる撮像装置およびその制御方法、画像形成装置およびその制御方法を提供することを目的とする。
【課題を解決するための手段】
【０００８】
前述した目的を達成するため、請求項１の発明は、レンズを介して受光した光学的情報に基づいて画像データを生成し、該生成した画像データとして記録媒体に記録する撮像装置において、受光した光学的情報に基づいて画像データを生成する画像生成手段と、前記画像生成手段が生成した画像データに、該画像データに基づく画像形成処理の可否を設定する可否情報設定手段と、前記画像生成手段が生成した画像データに前記可否情報設定手段が設定した画像形成処理の可否を示す可否情報を付加した画像ファイルを生成し、該生成した画像ファイルを記録媒体に記録する画像記録手段とを具備することを特徴とする。
【０００９】
また、請求項２の発明は、請求項１の発明において、前記可否情報設定手段は、操作者の指示に基づいて、画像形成処理の可否を設定することを特徴とする。
【００１０】
また、請求項３の発明は、請求項２の発明において、前記可否情報設定手段は、前記画像生成手段が画像データを生成する毎に、該生成した画像データに基づく画像形成処理の可否を設定することを特徴とする。
【００１１】
また、請求項４の発明は、レンズを介して受光した光学的情報に基づいて画像データを生成し、該生成した画像データとして記録媒体に記録する撮像装置の制御方法であって、受光した光学的情報に基づいて画像データを生成し、該生成した画像データに、該画像データに基づく画像形成処理の可否を示す可否情報を付加した画像ファイルを生成し、該生成した画像ファイルを記録媒体に記録することを特徴とする。
【００１２】
また、請求項５の発明は、請求項４の発明において、前記画像形成処理の可否は、前記撮像装置の操作者の指示に基づいて決定されることを特徴とする。
【００１３】
また、請求項６の発明は、請求項５の発明において、前記画像形成処理の可否は、前記撮像装置が前記画像データを生成する毎に決定されることを特徴とする。
【００１４】
また、請求項７の発明は、記録媒体に記録された画像ファイルを読み出し、該画像ファイルに含まれる画像データに基づいて用紙上に画像を形成する画像形成装置において、記録媒体から画像ファイルを読み出す画像取得手段と、前記画像取得手段が読み出した画像ファイルに含まれる画像データに基づいて用紙上に画像を形成する画像形成手段と、前記画像取得手段が読み出した画像ファイルから、該画像ファイルに含まれる画像データに基づく画像形成の可否を設定した可否情報を取得する可否情報取得手段と、前記可否情報取得手段が取得した可否情報が画像形成の不許可に設定されていた場合に、該可否情報に対応する画像データに基づく画像形成を禁止する画像形成禁止手段とを具備することを特徴とする。
【００１５】
また、請求項８の発明は、請求項７の発明において、前記画像ファイル取得手段が読み出した画像ファイルに対応する縮小画像を画面上に表示する表示手段と、前記表示手段が表示した縮小画像に基づく選択を受け付ける選択受付手段とをさらに具備し、前記画像形成手段は、前記選択受付手段が受け付けた縮小画像に対応する画像ファイルに基づいて用紙上に画像を形成し、前記画像形成禁止手段は、前記可否情報取得手段が取得した可否情報が画像形成の不許可に設定されていた場合は、該可否情報が含まれた画像ファイルに対応する縮小画像の表示を前記表示手段に表示させないことを特徴とする。
【００１６】
また、請求項９の発明は、記録媒体に記録された画像ファイルを読み出し、該画像ファイルに含まれる画像データに基づいて用紙上に画像を形成する画像形成装置の制御方法であって、記録媒体から読み出した画像ファイルから、該画像ファイルに含まれる画像データに基づく画像形成の可否を設定した可否情報を取得し、該取得した可否情報が画像形成の不許可に設定されていた場合に、該可否情報に対応する画像データに基づく画像形成を禁止することを特徴とする。
【００１７】
また、請求項１０の発明は、請求項９の発明において、前記画像形成装置は、前記画像ファイルに対応する縮小画像を画面上に表示し、該表示した縮小画像のうち選択された縮小画像に対応する画像データに基づいて用紙上に画像を形成し、前記画像形成の禁止は、前記可否情報が画像形成の不許可に設定されていた場合に、該可否情報が含まれた画像ファイルに対応する縮小画像を前記画面上に表示させないことで行うことを特徴とする。
【発明の効果】
【００１８】
本発明によれば、デジタルカメラ等で撮影した画像データに、画像形成の可否を示す可否情報を設定するように構成したので、撮影時にプリントを行わないことを決定した画像を、プリント時の選択肢から除外することができる。
【発明を実施するための最良の形態】
【００１９】
以下、本発明に係る撮像装置およびその制御方法、画像形成装置およびその制御方法の一実施の形態について、添付図面を参照して詳細に説明する。
【実施例１】
【００２０】
図１は、本発明を適用したデジタルカメラの機能的な構成の概略を示すブロック図である。同図に示すように、本発明を適用したデジタルカメラ１は、撮像処理部２と、画像処理部３、属性設定・保存制御部４、メディア制御部５、操作部６、表示部７を具備して構成される。
【００２１】
撮像処理部２は、レンズ等の光学系部品やＣＣＤ等の撮像素子、信号変換回路等を有し、撮像素子が受光した光に基づいて電気信号で表される画像データを生成する。画像処理部３は、撮像処理部２が生成した画像データに補正等の処理を施すとともに、当該画像データを含む画像ファイルを生成する。属性設定・保存制御部４は、画像処理部３が画像ファイルを生成する際に、画像データに属性情報を付加したり、画像処理部３が生成した画像ファイルをメディア制御部５を介してメディアに記録させたりといった制御を行う。メディア制御部５は、画像処理部３が生成した画像ファイルを、メモリ等のメディアに記録する。操作部６は、操作者による撮影指示や属性の設定指示等を受け付ける。表示部７は、操作者に対してメッセージの通知や撮影時の画像の表示等を行う。
【００２２】
このデジタルカメラ１は、属性設定・保存制御部４の動作により、画像データに付加する属性情報のひとつとして、印刷の可否を示す印刷設定を含めることができる。この印刷設定は、例えば、デジタルカメラで多く利用されているＥｘｉｆ(Exchangeable Image File Format)といった形式の画像ファイルでメディアへの保存を行う場合には、Ｅｘｉｆタグとして設定することができ、当該タグが「０」の場合には印刷禁止を表し、「０」以外の場合には、印刷許可を表すようにして設定することができる。
【００２３】
なお、図１に示したデジタルカメラ１は、属性設定・保存制御部４の動作を除いては、従来のデジタルカメラと同様の構成であるため、属性設定・保存制御部４の動作以外の詳細な説明は省略する。また、属性設定・保存制御部３は、プロセッサがソフトウェア（ファームウェア）にしたがって動作するものであるため、そのハードウェア構成は、従来のものと同様である。
【００２４】
次に、デジタルカメラ１の撮影時の動作について説明する。図２は、デジタルカメラ１の撮影時の動作の流れを示すフローチャートである。
【００２５】
デジタルカメラ１は、撮影動作を開始すると、まず、表示部７に撮影画面を表示する（ステップ１０１）。この撮影画面は、通常、現に撮像処理部２が捉えている画像が表示されている。この状態で、操作者が撮影の指示を発する、つまり、図示しないシャッターボタンを押下すると（ステップ１０２でＹＥＳ）、操作部６が当該操作を受け付けて撮像処理部２に撮影、つまり、画像の生成を行わせる（ステップ１０３）。
【００２６】
撮影された画像は、画像処理部３、属性設定・保存制御部４を介して表示部７に表示されるが、このとき、属性設定・保存制御部４は、当該画像の保存を行うか否かを操作者に確認する保存確認画面を表示部７に表示する（ステップ１０４）。保存確認画面は、例えば、図３に示すような画面が、単独若しくは確認対象の画像に重ねられて表示されたものである。
【００２７】
表示部７に保存確認画面を表示した結果、操作者が画像の保存を指示した場合には（ステップ１０５でＹＥＳ）、属性設定・保存制御部４は、当該画像の印刷を許可するか否かを確認する印刷設定確認画面を、表示部７に表示する（ステップ１０６）。印刷設定確認画面は、例えば、図４に示すような画面が、単独若しくは確認対象の画像に重ねられて表示されたものである。
【００２８】
その結果、操作者が印刷の許可を指示した場合には（ステップ１０７でＹＥＳ）、属性設定・保存制御部４は、画像処理部３が画像データに付加する属性情報に印刷許可を示す印刷設定を含める（ステップ１０８）。一方、操作者が印刷の禁止を指示した場合には（ステップ１０７でＮＯ）、属性設定・保存制御部４は、画像処理部３が画像データに付加する属性情報に印刷禁止を示す印刷設定を含める（ステップ１０９）。
【００２９】
画像処理部３により画像データに属性情報が付加されると、属性設定・保存制御部４は、当該画像データの保存を指示し、これを受けた画像処理部３は、当該画像データを含む画像ファイルをメディア制御部５を介してメディアへ記録し（ステップ１１０）、デジタルカメラ１は、表示部７に撮影画面を表示して、次の撮影指示に備える。
【００３０】
次に、本発明を適用した画像形成装置について説明する。図５は、本発明を適用した画像形成装置の機能的な構成を示すブロック図である。
【００３１】
同図に示すように、画像形成装置１０は、制御部２０と、メディア読出部３０、表示・操作部４０、画像形成部５０を具備して構成される。
【００３２】
制御部２０は、本発明を適用した部分で、画像形成装置１０の各部の制御等を行うものである。メディア読出部３０は、各種メモリや、光ディスク等の可搬形の記憶媒体であるメディアから画像データを読み出すものである。表示・操作部４０は、タッチパネル式のディスプレイ等で構成され、利用者に対して各種の情報を提示するとともに、利用者からの指示操作を受け付ける。画像形成部５０は、画像データに基づいて用紙上に画像を形成するものである。
【００３３】
続いて、制御部２０について説明する。制御部２０は、読出処理部２１と、印刷設定確認部２２、拡縮処理部２３、表示制御部２４、補正処理部２５、画像形成制御部２６を具備して構成される。
【００３４】
読出処理部２１は、メディア読出部３０を制御し、メディアから画像データを含む画像ファイルを読み出させ、そこから画像データを取得する。印刷設定確認部２２は、画像データに付加された属性情報の印刷設定の内容を確認する。拡縮処理部２３は、画像データを表示・操作部４０が表示する画像の大きさに縮小または拡大する。表示制御部２４は、拡縮処理部２３が縮小または拡大した画像データ等に基づいて、表示・操作部４０が表示する画面を生成する。補正処理部２５は、画像データに対して、色や明るさ、輝度等の補正処理を施す。画像形成制御部２６は、補正処理部２５が補正処理を施した画像データに基づいて、画像形成部６０に実行させるジョブを生成し、生成したジョブを画像形成部６０へ送出して画像の形成を実行させる。
【００３５】
なお、制御部２０は、パーソナルコンピュータ等でソフトウェアを動作させることで実現することもできる。また、図５においては、制御部２０の機能的な構成のうち、本発明と関連しない部分については省略しているが、実際には、他の様々な機能を有することとなる。
【００３６】
次に、画像形成装置１０の動作を説明する。図６は、画像形成装置１０の動作の流れを示すフローチャートである。
【００３７】
画像形成装置１０は、メディア読出部３０に、メモリ等のメディアが挿入されると（ステップ２０１でＹＥＳ）、読出処理部２１がメディア読出部３０を制御して、当該メディアに記録されている画像ファイルを読み出し、当該画像ファイルに含まれる画像データを取得する（ステップ２０２）。
【００３８】
続いて、印刷設定確認部２２が、画像データに付加されている属性情報の印刷設定を確認し（ステップ２０３）、その印刷設定が印刷許可に設定されていた場合には（ステップ２０４でＹＥＳ）、拡縮処理部２３が、当該画像データを縮小若しくは拡大し、表示制御部２４が、表示・操作部４０に一覧画像として縮小画像を表示する（ステップ２０５）。一方、画像データに付加されている属性情報の印刷設定が印刷禁止に設定されていた場合には（ステップ２０４でＮＯ）、当該画像に対しては、表示・操作部４０への表示処理は行わない。
【００３９】
そして、制御部２０は、これらの処理をメディアに記録されている全ての画像に対して実行する（ステップ２０６でＮＯ）。
【００４０】
メディアに記録されている全ての画像に対して、一覧画像の表示処理が終了すると（ステップ２０６でＹＥＳ）、画像形成装置１０は、操作者による印刷指示等の入力を待つ。印刷指示等は、操作者が、表示・操作部４０へ表示した一覧画像から所望の画像を印刷対象として選択した後に発せられるが、印刷禁止が設定されている画像は、表示・操作部４０へ表示されないため、操作者が印刷対象として選択することは不可能である。
【００４１】
なお、印刷指示等を受けての画像形成装置１０の処理は、従来の画像形成装置の処理と同様であるため、以下の処理についての説明は省略する。
【実施例２】
【００４２】
実施例２では、実施例１で説明したデジタルカメラ１において、印刷禁止の設定を行う際に、その設定を解除するためのパスワードを設定する場合の例を説明する。なお、実施例２で説明するデジタルカメラの構成は、実施例１で説明したデジタルカメラ１と同様であるため、ここでは、その動作についてのみ説明する。
【００４３】
図７は、実施例２におけるデジタルカメラ１の撮影時の動作の流れを示すフローチャートである。
【００４４】
デジタルカメラ１は、撮影動作を開始すると、まず、表示部７に撮影画面を表示する（ステップ３０１）。この状態で、操作者が撮影の指示を発する、つまり、図示しないシャッターボタンを押下すると（ステップ３０２でＹＥＳ）、操作部６が当該操作を受け付けて撮像処理部２に撮影、つまり、画像の生成を行わせる（ステップ３０３）。
【００４５】
撮影された画像は、画像処理部３、属性設定・保存制御部４を介して表示部７に表示されるが、このとき、属性設定・保存制御部４は、当該画像の保存を行うか否かを操作者に確認する保存確認画面を表示部７に表示する（ステップ３０４）。保存確認画面は、例えば、図３に示すような画面が、単独若しくは確認対象の画像に重ねられて表示されたものである。
【００４６】
表示部７に保存確認画面を表示した結果、操作者が画像の保存を指示した場合には（ステップ３０５でＹＥＳ）、属性設定・保存制御部４は、当該画像の印刷を許可するか否かを確認する印刷設定確認画面を、表示部７に表示する（ステップ３０６）。印刷設定確認画面は、例えば、図４に示すような画面が、単独若しくは確認対象の画像に重ねられて表示されたものである。
【００４７】
その結果、操作者が印刷の許可を指示した場合には（ステップ３０７でＹＥＳ）、属性設定・保存制御部４は、画像処理部３が画像データに付加する属性情報に印刷許可を示す印刷設定を含める（ステップ３０８）。一方、操作者が印刷の禁止を指示した場合には（ステップ３０７でＮＯ）、属性設定・保存制御部４は、印刷禁止設定を解除する際に利用するパスワードを入力させるパスワード入力画面を、表示部７に表示し（ステップ３０９）、操作者によるパスワードの入力を待つ（ステップ３１０でＮＯ）。パスワード入力画面は、例えば、図８に示すような画面が、単独若しくは確認対象の画像に重ねられて表示されたものである。そして、操作者によりパスワードが入力されると（ステップ３１０でＹＥＳ）、属性設定・保存制御部４は、画像処理部３が画像データに付加する属性情報に印刷禁止を示す印刷設定とパスワードを含める（ステップ３１１）。
【００４８】
画像処理部３により画像データに属性情報が付加されると、属性設定・保存制御部４は、当該画像データの保存を指示し、これを受けた画像処理部３は、当該画像データを含む画像ファイルをメディア制御部５を介してメディアへ記録し（ステップ３１２）、デジタルカメラ１は、表示部７に撮影画面を表示して、次の撮影指示に備える。
【００４９】
次に、デジタルカメラ１による印刷設定の変更処理の流れを説明する。図９は、実施例２におけるデジタルカメラ１による印刷設定の変更処理の流れを示すフローチャートである。
【００５０】
デジタルカメラ１は、操作者により印刷設定の変更が指示されると、表示部７に設定変更画面を表示する（ステップ４０１）。設定変更画面は、印刷設定の変更を所望する画像を操作者が選択することのできる画面である。操作者が設定変更画面から所望の画像を選択すると（ステップ４０２でＹＥＳ）、属性設定・保存制御部４は、メディア制御部５を介して、メディアに記録されている画像ファイルに含まれる属性情報の印刷設定を取得して、その内容を通知する設定通知画面を、表示部７に表示する（ステップ４０３）。
【００５１】
ここで、操作者が印刷設定の変更を指示した場合には（ステップ４０４でＹＥＳ）、属性設定・保存制御部４は、現在の印刷設定が印刷許可であれば（ステップ４０５でＹＥＳ）、印刷禁止設定を解除する際に利用するパスワードを入力させるパスワード入力画面を、表示部７に表示し（ステップ４０６）、操作者によるパスワードの入力を待つ（ステップ４０７でＮＯ）。そして、操作者によりパスワードが入力されると（ステップ４０７でＹＥＳ）、属性設定・保存制御部４は、該当する属性情報に印刷禁止を示す印刷設定とパスワードを含める（ステップ４０８）。一方、現在の印刷設定が印刷禁止であった場合には（ステップ４０５でＮＯ）、属性設定・保存制御部４は、印刷禁止設定時に入力したパスワードを入力させるパスワード入力画面を、表示部７に表示し（ステップ４０９）、操作者によるパスワードの入力を待つ（ステップ４１０でＮＯ）。そして、操作者によりパスワードが入力され（ステップ４１０でＹＥＳ）、入力されたパスワードが印刷禁止設定とともに属性情報に含まれているパスワードと一致すれば（ステップ４１１でＹＥＳ）、属性設定・保存制御部４は、該当する属性情報に印刷許可を示す印刷設定を含める（ステップ４１２）。
【実施例３】
【００５２】
実施例３では、実施例１で説明した画像形成装置１０の動作方法を一部変更した場合の例を説明する。なお、実施例３における画像形成装置の構成は、実施例１で説明した画像形成装置１の構成と同様であるため、ここでは、その動作のみを説明する。
【００５３】
図１０は、実施例３における画像形成装置１０の動作の流れを示すフローチャートである。
【００５４】
画像形成装置１０は、メディア読出部３０に、メモリ等のメディアが挿入されると（ステップ５０１でＹＥＳ）、読出処理部２１がメディア読出部３０を制御して、当該メディアに記録されている画像ファイルを読み出し、当該画像ファイルに含まれる画像データを取得する（ステップ５０２）。
【００５５】
続いて、印刷設定確認部２２が、画像データに付加されている属性情報の印刷設定を確認し（ステップ５０３）、その印刷設定が印刷許可に設定されていた場合には（ステップ５０４でＹＥＳ）、拡縮処理部２３が、当該画像データを縮小若しくは拡大し、表示制御部２４が、表示・操作部４０に一覧画像として縮小画像を表示する（ステップ５０５）。縮小画像は、例えば、図１１に示すような画面６００に、縮小画像６０１として表示される。
【００５６】
一方、画像データに付加されている属性情報の印刷設定が印刷禁止に設定されていた場合には（ステップ５０４でＮＯ）、表示制御部２４は、表示・操作部４０に、一覧画像に代えて印刷禁止を表すシンボルを表示する（ステップ５０６）。このシンボルは、例えば、図１１に示すような画面６００に、シンボル６０２として表示される。
【００５７】
そして、制御部２０は、これらの処理をメディアに記録されている全ての画像に対して実行し（ステップ５０７でＮＯ）、メディアに記録されている全ての画像に対して処理が終了すると（ステップ５０７でＹＥＳ）、画像形成装置１０は、操作者による印刷指示等の入力を待つ。印刷指示等は、操作者が、表示・操作部４０へ表示した一覧画像から所望の画像を印刷対象として選択した後に発せられるが、印刷禁止が設定されている画像は、表示・操作部４０へ表示されないため、操作者が印刷対象として選択することは不可能である。
【００５８】
なお、印刷指示等を受けての画像形成装置１０の処理は、従来の画像形成装置の処理と同様であるため、以下の処理についての説明は省略する。
【図面の簡単な説明】
【００５９】
【図１】本発明を適用したデジタルカメラの機能的な構成の概略を示すブロック図である。
【図２】デジタルカメラ１の撮影時の動作の流れを示すフローチャートである。
【図３】保存確認画面の例を示した図である。
【図４】印刷設定確認画面の例を示した図である。
【図５】本発明を適用した画像形成装置の機能的な構成を示すブロック図である。
【図６】画像形成装置１０の動作の流れを示すフローチャートである。
【図７】実施例２におけるデジタルカメラ１の撮影時の動作の流れを示すフローチャートである。
【図８】パスワード入力画面の例を示した図である。
【図９】実施例２におけるデジタルカメラ１による印刷設定の変更処理の流れを示すフローチャートである。
【図１０】実施例３における画像形成装置１０の動作の流れを示すフローチャートである。
【図１１】実施例３において画像形成装置１０の表示・操作部４０に表示される画面の例を示した図である。
【符号の説明】
【００６０】
１    デジタルカメラ
２    撮像処理部
３    画像処理部
４    属性設定・保存制御部
５    メディア制御部
６    操作部
７    表示部
１０    画像形成装置
２０    制御部
２１    読出処理部
２２    印刷設定確認部
２３    拡縮処理部
２４    表示制御部
２５    補正処理部
２６    画像形成制御部
３０    メディア読出部
４０    表示・操作部
５０    画像形成部
６００    画面
６０１    縮小画像
６０２    シンボル
【図１】
2006087021.tif 000003
【図２】
2006087021.tif 000004
【図３】
2006087021.tif 000005
【図４】
2006087021.tif 000006
【図５】
2006087021.tif 000007
【図６】
2006087021.tif 000008
【図７】
2006087021.tif 000009
【図８】
2006087021.tif 000010
【図９】
2006087021.tif 000011
【図１０】
2006087021.tif 000012
【図１１】
2006087021.tif 000013